(57)【要約】【課題】原稿データが予め定められた基準データサイズを超えるサイズであるとき、原稿データにおいて選択された領域のデータサイズを調整することができる原稿読取装置を提供する。【解決手段】本発明の原稿読取装置１は、基準データサイズを設定する設定部１２０、原稿を読み取る原稿読取部１１０、原稿データを記憶する記憶部１３０、原稿データを表示する表示部１４０、原稿データを領域分離する領域分離部１５０、領域データサイズおよび全体データサイズを算出する計算部１６０、全体データサイズと基準データサイズとを比較する比較部１７０、領域を選択するための選択部１５５、領域データサイズを調整する調整部１８０およびデータを外部機器３００へ送信する通信部１９０を備える。【選択図】図３
2010114704.tif 000002
【特許請求の範囲】
【請求項１】
原稿が載置される原稿載置台と、
外部機器へ原稿データを送信する際の前記原稿データの許容サイズを示す基準データサイズを設定する設定部と、
前記原稿載置台に載置された原稿を読み取る原稿読取部と、
前記原稿読取部で読み取った原稿の原稿データを記憶する記憶部と、
前記記憶部に記憶された前記原稿データを表示する表示部と、
前記表示部に表示された前記原稿データを領域分離する領域分離部と、
前記領域分離部によって分離された前記原稿データの領域ごとの領域データサイズおよび前記原稿データの全体データサイズを算出する計算部と、
前記計算部で計算された前記全体データサイズと前記基準データサイズとを比較する比較部と、
前記比較部の比較結果において前記全体データサイズが前記基準データサイズよりも大きい場合に前記領域を選択するための選択部と、
前記全体データサイズを前記基準データサイズ以下にするために前記選択部で選択された領域の前記領域データサイズを調整するための調整部と、
前記調整部によって調整されて前記基準データサイズ以下となった原稿データを前記外部機器へ送信する通信部と、
を備える原稿読取装置。
【請求項２】
前記表示部は、前記領域分離部において領域分離された前記原稿データの領域間の境界を示す境界画像を前記原稿データに重ね合わせて表示する請求項１に記載の原稿読取装置。
【請求項３】
前記表示部は、前記領域分離部において領域分離された前記原稿データの領域ごとにその領域の特性および前記領域データサイズを含むプロパティを表示する請求項１または２に記載の原稿読取装置。
【請求項４】
前記表示部は、前記調整部において調整されたあとの画像を表示する請求項１〜３のいずれか１項に記載の原稿読取装置。
【請求項５】
前記計算部は、前記全体データサイズと前記基準データサイズとの差を算出し、
前記表示部は、前記差が所定値以上の場合、前記領域データサイズの大きい領域を優先して調整するように表示し、前記差が所定値未満の場合、前記領域データサイズの小さい領域を優先して調整するように表示する請求項１〜４のいずれか１項に記載の原稿読取装置。
【発明の詳細な説明】
【技術分野】
【０００１】
本発明は、原稿載置台に載置された原稿を読み取る原稿読取装置に関する。
【背景技術】
【０００２】
原稿載置台を備え、原稿載置台に載置した原稿を読み取る原稿読取装置は、読み取った原稿データを外部機器に送信するための通信部を備え、通信部からＬＡＮ等のネットワークを介して外部機器と接続している。そして、接続先の外部機器において、原稿読取装置から送信された原稿データが加工処理等されてユーザの利用に供されている。
【０００３】
原稿読取装置は、様々な原稿を読み取るため、その読み取った原稿データのサイズは様々なものとなる。これらの読み取った原稿データのサイズが大きい場合、その原稿データがネットワークに流されると、データトラフィックが増加し、システム全体の性能を低下させる問題があった。
【０００４】
そこで、送信されるデータが予め定められた基準データサイズを超えるサイズであったとき、このデータを基準値より小さいサイズのデータに加工することにより代替データを作成し、加工される前の元のデータに代えて、この代替データを送信する技術が開示されている（例えば、特許文献１参照。）。
【特許文献１】特開２０００−２３５５３０号公報
【発明の開示】
【発明が解決しようとする課題】
【０００５】
特許文献１の技術によって代替データを外部機器に送信すれば、データトラフィックの増加を防止することができるため、システム全体の性能の低下を防止することができる。
【０００６】
しかし、原稿読取装置において読み取った原稿が基準データサイズを超えるサイズであった場合には、自動で代替データが作成されるため、ユーザはデータの調整内容を知ることができず、また、データサイズを変更したくない重要な項目においても勝手に調整されるため、不本意な画像に変化してしまう問題があった。
【０００７】
そこで本発明の目的は、上記課題に鑑み、原稿データが予め定められた基準データサイズを超えるサイズであるとき、原稿データにおいて選択された領域のデータサイズを調整することができる原稿読取装置を提供することにある。
【課題を解決するための手段】
【０００８】
本発明の原稿読取装置は、原稿が載置される原稿載置台と、外部機器へ原稿データを送信する際の前記原稿データの許容サイズを示す基準データサイズを設定する設定部と、前記原稿載置台に載置された原稿を読み取る原稿読取部と、前記原稿読取部で読み取った原稿の原稿データを記憶する記憶部と、前記記憶部に記憶された前記原稿データを表示する表示部と、前記表示部に表示された前記原稿データを領域分離する領域分離部と、前記領域分離部によって分離された前記原稿データの領域ごとの領域データサイズおよび前記原稿データの全体データサイズを算出する計算部と、前記計算部で計算された前記全体データサイズと前記基準データサイズとを比較する比較部と、前記比較部の比較結果において前記全体データサイズが前記基準データサイズよりも大きい場合に前記領域を選択するための選択部と、前記全体データサイズを前記基準データサイズ以下にするために前記選択部で選択された領域の前記領域データサイズを調整するための調整部と、前記調整部によって調整されて前記基準データサイズ以下となった原稿データを前記外部機器へ送信する通信部と、を備える。
【０００９】
この構成では、外部機器へ送信したい原稿データが基準データサイズよりも大きい場合に、ユーザが原稿データ中においてデータ調整をしてもよい領域とデータ調整をしたくない領域とを任意に分けることができる。そして、データ調整をしてもよい領域のみをデータ調整して原稿データのサイズを小さくすることにより、原稿データ中の重要な項目の画質を劣化させることがなく原稿データを外部機器へ送信することができる。
【００１０】
前記表示部は、前記領域分離部において領域分離された前記原稿データの領域間の境界を示す境界画像を前記原稿データに重ね合わせて表示すると好ましい。
【００１１】
この構成では、領域分離された原稿データにおいて領域間の境界が明確になるため、データ調整をしてもよい領域とデータ調整をしたくない領域とを正確に分けることができる。
【００１２】
前記表示部は、前記領域分離部において領域分離された前記原稿データの領域ごとにその領域の特性および前記領域データサイズを含むプロパティを表示すると好ましい。
【００１３】
この構成では、領域ごとにその領域の特性および領域データサイズを含むプロパティを表示するため、どの領域のデータサイズが大きいのかが一目瞭然であり、データ調整をしてもよい領域とデータ調整をしたくない領域とを分けるときの指標とすることができる。
【００１４】
前記表示部は、前記調整部において調整されたあとの画像を表示すると好ましい。
【００１５】
この構成では、データ調整をした領域の画質がどの程度劣化したかがわかるため、画質の劣化に応じてデータ調整をすることができる。
【００１６】
前記計算部は、前記全体データサイズと前記基準データサイズとの差を算出し、前記表示部は、前記差が所定値以上の場合、前記領域データサイズの大きい領域を優先して調整するように表示し、前記差が所定値未満の場合、前記領域データサイズの小さい領域を優先して調整するように表示すると好ましい。
【００１７】
全体データサイズと基準データサイズとの差が所定値以上の場合は、データサイズの小さな領域ばかりを調整しても全体データサイズが基準データサイズに収まらないので、データサイズの大きい領域を優先して調整するように表示することにより、ユーザにデータサイズの大きい領域を優先して調整するように促すことができる。また、全体データサイズと基準データサイズとの差が所定値未満の場合は、データサイズの大きな領域を調整すると必要以上にデータサイズが小さくなる虞があるので、データサイズの小さい領域を優先して調整するように表示することにより、ユーザにデータサイズの小さい領域を優先して調整するように促すことができる。
【発明の効果】
【００１８】
本発明における原稿読取装置は、原稿データが予め定められた基準データサイズを超えるサイズであるとき、原稿データにおいて選択された領域のデータサイズを調整することができる。
【発明を実施するための最良の形態】
【００１９】
以下、本発明の最良の実施形態に係る原稿読取装置を、図面を参照にしつつ詳細に説明する。
【００２０】
図１は、本発明の実施形態に係る原稿読取装置の構成を示す図である。図２は、本発明の実施形態に係る原稿読取装置の開蓋状態を示す図である。
【００２１】
原稿読取装置１は、原稿読取部１１０、複数枚原稿が積層して載置される原稿トレイ２、画像情報の読取済みの原稿が積層して排出される排出トレイ３および両面原稿読取時に片面からの画像情報の読取済みの原稿が一旦搬送される中間トレイ８を備えている。
【００２２】
原稿読取部１１０は、ＣＣＤ（Charge Coupled Device）読取ユニット１１を備え、第１原稿載置台１２上に載置されて平面支持された原稿の画像を、光源ユニット１３およびミラーユニット１４によって固定位置に設けられたＣＣＤ読取ユニット１１に結像して読取処理を行う。ＣＣＤ読取ユニット１１は、結像レンズおよびＣＣＤイメージセンサを備える。
【００２３】
光源ユニット１３は、照明光を照射する光源、光源からの照明光を第１原稿載置台１２上の所定の読取位置に集光するリフレクタ、原稿からの反射光のみを通過させるスリットおよびスリットを通過した反射光の光路を９０度偏向するミラーを搭載している。ミラーユニット１４は、光源ユニット１３からの反射光の光路を１８０度偏向する一対のミラーを搭載している。
【００２４】
静止読取モード時に、光源ユニット１３は速度Ｖで、ミラーユニット１４は速度Ｖ／２で、第１原稿載置台１２の下面において副走査方向に往復移動し、第１原稿載置台１２上の原稿の画像面の全面における反射光を光路長を一定に維持してＣＣＤ読取ユニット１１に導く。
【００２５】
ＣＣＤ読取ユニット１１は、静止読取モード時に、ＣＣＤイメージセンサ、結像レンズおよび光源を搭載した縮小読取光学系または等倍読取光学系のユニットを速度Ｖで、第１原稿載置台１２の下面において副走査方向に往復移動する構造であってもよい。
【００２６】
原稿読取部１１０には、第１原稿載置台１２から副走査方向に所定距離だけ離間して第２原稿載置台１６が設けられている。原稿読取装置１を用いた搬送読取モード時には、光源ユニット１３は、第２原稿載置台１６に対向する画像読取位置Ｐ１に停止する。
【００２７】
原稿読取装置１は、第１原稿載置台１２および第２原稿載置台１６の上面を開閉自在にして配置されている。
【００２８】
原稿トレイ２から原稿読取位置Ｐ１を経由して排出トレイ３に至る間には、ピックアップローラ４、給送ローラ５Ａ、捌きローラ５Ｂおよび搬送ローラＲ１〜Ｒ５を備えた原稿搬送経路Ｈ１が形成されている。また、中間トレイ８を原稿搬送経路Ｈ１における原稿トレイ２と画像読取位置Ｐ１との間の合流位置Ｐ２に連絡する副搬送経路Ｈ２が構成されている。副搬送経路Ｈ２には、排出ローラＲ６および搬送ローラＲ７が配置されている。
【００２９】
ピックアップローラ４、給送ローラ５Ａおよび捌きローラ５Ｂは、蓋体９において支持されている。蓋体９は、図１中の左側をヒンジにして揺動し、原稿搬送経路Ｈ１の上部を開閉する。
【００３０】
原稿の片面のみから画像情報を読み取る片面原稿読取時には、原稿トレイ２に載置された原稿の最上面に当接したピックアップローラ４の回転によって繰り出された原稿が、給送ローラ５Ａの回転によって原稿搬送経路Ｈ１内に導かれる。このとき、給送ローラ５Ａと同方向に回転する捌きローラ５Ｂにより、最上部に位置する原稿以外の原稿が原稿トレイ２内に戻され、最上部に位置する１枚の原稿のみが原稿搬送経路Ｈ１内に送り出される。
【００３１】
原稿トレイ２から送り出された原稿は、搬送ローラＲ１およびＲ２の回転により、所定のタイミングで原稿搬送経路Ｈ１内を画像読取位置Ｐ１に向かって搬送される。原稿は、画像読取位置Ｐ１を通過する間に、画像読取位置Ｐ１の下方に停止している光源ユニット１３を含む原稿読取部１１０のＣＣＤ読取ユニット１１によって画像情報が読み取られる。画像情報が読み取られた原稿は、搬送ローラＲ４および排出ローラＲ５の回転により、排出トレイ３に排出される。
【００３２】
原稿の両面から画像情報を読み取る両面原稿読取時には、片面原稿読取時と同様にして原稿搬送経路Ｈ１内に送り出された１枚の原稿は、画像読取位置Ｐ１で片面から画像情報が読み取られた後、搬送ローラＲ４を経由して副搬送経路Ｈ２内に導かれ、排出ローラＲ６の回転によって中間トレイ８上に送り出される。排出ローラＲ６は、原稿の後端を挟持したまま逆方向に回転し、排出ローラＲ６および搬送ローラＲ７の回転により、原稿は搬送方向の前後端を反転した状態で、副搬送経路Ｈ２内を合流位置Ｐ２に向けて搬送される。
【００３３】
副搬送経路Ｈ２内を搬送されて合流位置Ｐ２に達した原稿は、原稿搬送経路Ｈ１内を画像読取位置Ｐ１に向けて再度搬送される。このとき、先に画像情報が読み取られた面とは反対側の面が画像読取位置Ｐ１の下方に停止している光源ユニット１３に対向し、この面から画像情報が読み取られる。両面からの画像情報の読取が完了した原稿は、搬送ローラＲ４および排出ローラＲ５の回転により、排出トレイ３に排出される。
【００３４】
原稿搬送経路Ｈ１における合流位置Ｐ２の直近の下流側には、原稿センサ６が配置されている。原稿センサ６は、原稿トレイ２および中間トレイ８から搬送されて原稿搬送経路Ｈ１を通過する原稿を検出する。
【００３５】
原稿搬送経路Ｈ１における原稿トレイ１と合流位置Ｐ２との間の原稿搬送方向に直交した主走査方向について前面側に偏った位置に、原稿サイズセンサ７が配置されている。原稿サイズセンサ７は、原稿トレイ２から搬送された原稿の主走査方向における端部位置を検出する。
【００３６】
図３は、本発明の実施形態に係る原稿読取装置の主要な構成を示すブロック図である。
【００３７】
原稿読取装置１は、第１原稿載置台１２に載置された原稿および第２原稿載置台１６上を通過する原稿を読み取る原稿読取部１１０、原稿読取部１１０で読み取った原稿の原稿データを表示する表示部１４０、原稿データを外部機器３００へ送信する通信部１９０ならびに原稿読取部１１０、表示部１４０および通信部１９０と接続し、各部を総括的に制御する制御部２００を備える。ここで外部機器３００とは、例えばＰＣのことを指す。
【００３８】
なお、原稿読取装置１は、この他、原稿を原稿トレイ２から排出トレイ３まで搬送するときに駆動する各部を駆動するための駆動部および駆動部を制御するための第２の制御部を備えるが、ここではその説明と図示を略している。
【００３９】
制御部２００は、ＣＰＵ１００、外部機器３００へ原稿データを送信する際の原稿データの許容サイズを示す基準データサイズを設定する設定部１２０、原稿読取部１１０で読み取った原稿の原稿データを記憶する記憶部１３０および分離された領域を選択するための選択部１５５を備える。ＣＰＵ１００は、設定部１２０、記憶部１３０および選択部１５５と接続し、各部を総括的に制御する。
【００４０】
ＣＰＵ１００は、表示部１４０に表示された原稿データを領域分離する領域分離部１５０、領域分離部１５０によって分離された原稿データの領域ごとの領域データサイズおよび原稿データの全体データサイズを算出する計算部１６０、計算部１６０で計算された全体データサイズと基準データサイズとを比較部１７０および全体データサイズを基準データサイズ以下にするために選択部１５５で選択された領域の領域データサイズを調整するための調整部１８０を備える。領域分離部１５０、計算部１６０、比較部１７０および調整部１８０は、プログラムによってそれぞれの機能が実行され、それらのプログラムはＣＰＵ１００に内蔵しているか又はＣＰＵ１００に接続された図示しないメモリに格納されている。
【００４１】
図４は、本発明の実施形態に係る原稿読取装置における制御部の処理内容を示すフローチャートである。
【００４２】
ユーザは、原稿データを処理する前に、原稿データの送信先の設定、基準データサイズの設定および領域分離時の境界画像の色調の設定等の事前設定を設定部１２０で行う（Ｓ１０）。事前設定が終わると、原稿読取装置１によって原稿を読み取るか（Ｓ２０）、または予め記憶部１３０に記憶されている原稿データの読み出しを行う（Ｓ２５）。原稿を読み取った場合、その原稿データは記憶部１３０に記憶される（Ｓ３０）。
【００４３】
送信用の原稿データは、表示部１４０において表示される（Ｓ４０）。そして、その原稿データは領域分離部１５０によって領域ごとに分離される（Ｓ５０）。具体的には、領域の種類を示すデータ（領域種類データ）を原稿データに対応してメモリ上に配置して、領域種類データの値が変わる座標を、エッジ抽出の手法を応用して、各領域の境界部として抽出する。境界部は各領域を囲むような形状となるので、境界部の内部の領域を閉領域として検出して、検出した閉領域を各領域として特定し、計算部１６０によって領域ごとの領域データサイズおよび原稿データの全体データサイズが計算される（Ｓ６０）。
【００４４】
比較部１７０は、計算部１６０で計算された全体データサイズと基準データサイズとを比較する。そしてその比較結果において、全体データサイズが基準データサイズ以下であった場合には、その原稿データは通信部１９０によって外部機器３００へ送信される（Ｓ８０）。全体データサイズが基準データサイズよりも大きい場合には、原稿データを処理して基準データサイズ以下にする必要があるので、ユーザは、原稿データを手動調整をするか（Ｓ９０）、または自動調整をするか（Ｓ１００）を選択する。この選択は、設定部１２０で予め行われていてもよい。
【００４５】
図５は、本発明の実施形態に係る原稿読取装置における制御部の処理内容を示すフローチャートである。
【００４６】
図５は、全体データサイズが基準データサイズよりも大きい場合に手動調整（Ｓ９０）が選択されたときのフローチャートである。
【００４７】
手動調整が選択されると、表示部１４０は、領域分離部１５０において領域分離された原稿データの領域間の境界を示す境界画像を原稿データに重ね合わせて表示する（Ｓ１１０）。このとき、この境界画像は、Ｓ１０で設定された色調で示される。そして、表示部１４０は、領域分離部１５０において領域分離された原稿データの領域ごとに特性（文字または画像の種類）およびサイズ等のプロパティを表示する（Ｓ１２０）。
【００４８】
その後、ユーザは、選択部１５５においてデータ調整をする領域を選択する（Ｓ１３０）。すると、選択した領域が抜き出されて拡大表示され、同時にデータサイズ調整スイッチ（データ、色数、解像度）が表示部に表示される。そして、ユーザは、選択した領域のデータを手動で調整する（Ｓ１４０）。データ調整が終わってＯＫキーが押されると（Ｓ１５０）、表示部１４０は、データ調整をした領域を含む全体の原稿データを表示する（Ｓ１６０）。
【００４９】
データ調整後の全体データサイズが基準データサイズ以下であれば、表示部１４０にＯＫキーとキャンセルキーが表示される（Ｓ１７０）。ここで、ＯＫキーが押されると（Ｓ１８０）、通信部１９０は、データ調整した原稿データを外部機器３００へ送信する（Ｓ１９０）。また同時に、記憶部１３０は、データ調整した原稿データを記憶する。
【００５０】
Ｓ１５０でＯＫキーが押されずにキャンセルキーが押されると（Ｓ２００）、データの調整内容がリセットされてＳ１３０の領域選択に戻る。また、Ｓ１８０でＯＫキーが押されずにキャンセルキーが押されると（Ｓ２１０）、データの調整内容がリセットされてＳ１３０の領域選択に戻る。
【００５１】
図６は、本発明の実施形態に係る原稿読取装置の表示部においての表示内容を示す図である。
【００５２】
図６は、Ｓ１２０においてプロパティ表示がされたときの表示部１４０を示す。表示部１４０の上部には、原稿データの全体データサイズを示すデータタブ、Ｓ１０で設定された基準データサイズを示す基準データタブが表示されている。図６では、全体データサイズが基準データサイズよりも大きいので、これをユーザに示すためにデータタブの色が反転している。
【００５３】
また、原稿データの領域間の境界を示す境界画像が各領域間に示されている。本実施形態では文字領域と画像領域とを区別するためにＳ１０において色調を設定しているが、図６ではわかりやすいように破線と一点鎖線とで示している。さらに、各領域の特性やサイズがわかるように各領域に隣接してプロパティが表示されている。
【００５４】
ここで、基準データサイズと全体データサイズとの差が所定値（例えば、２ＭＢ）以上であれば、データサイズの大きな領域から順に番号をつける。また、基準データサイズと全体データサイズとの差が所定値未満であれば、データサイズの小さな領域から順に番号をつける。その表示は、時間差を設けて、番号の順に１つずつ表示していき、データサイズを調整すべき領域をユーザに誘導する。このように表示することにより、効率よくデータサイズの調整が行える。それは、データサイズをあまり調整しなくてもよい場合に大きなサイズの領域を優先的に調整すると、データサイズが小さくなりすぎる虞があり、あと少し（例えば、１００ＫＢ）だけ調整したら全体データサイズが基準データサイズ以下となる場合に大きなサイズの領域を優先して表示すると、小さなデータが表示されるまでエリア内スキップする必要があり、効率が悪いためである。
【００５５】
図７は、本発明の実施形態に係る原稿読取装置の表示部においての表示内容を示す図である。
【００５６】
図７は、Ｓ１４０においてユーザがデータ調整をするときの表示部１４０を示す。ここでは、Ｓ１３０において選択された領域が抜き出され、拡大表示されて表示部１４０に表示されている。また、データサイズ調整スイッチとしてデータタブ、色数タブおよび解像度タブが表示され、各項目について数値を変更することにより領域のデータサイズを調整できる。データタブの数値を変更すると、その変更が色数タブの数値および解像度タブの数値に反映される。色数タブの数値を変更すると、その変更がデータタブの数値に反映される。解像度タブの数値を変更すると、その変更がデータタブの数値に反映される。つまり、色数も解像度も調整する場合にはデータタブの数値を調整すればよく、色数のみまたは解像度のみを調整する場合には該当する数値を調整すればよい。
【００５７】
データ調整が終わってＯＫキーを押せば、その変更内容が全体データサイズに反映される。キャンセルキーを押せば、その変更内容をリセットして、再び図６の表示内容に戻る。
【００５８】
図８は、本発明の実施形態に係る原稿読取装置の表示部においての表示内容を示す図である。
【００５９】
図８は、Ｓ１６０においてデータ調整後の原稿データが表示されたときの表示部１４０を示す。ここでは、データ調整後の領域を含む全体の原稿データが表示される。原稿データのサイズは、全体データサイズに反映される。全体データサイズが基準データサイズ以下になれば、ＯＫキーが表示され、ＯＫキーを押すことでデータ調整後の原稿データが外部機器３００へ送信される。全体データサイズが基準データサイズよりも大きい場合には、「続けて編集」キーが表示され、「続けて編集」キーを押すことでデータ調整内容を保持したままさらに領域選択をしてデータ調整を行う。また、全体データサイズの大きさにかかわらずキャンセルキーが表示され、キャンセルキーを押すことでデータ調整内容をリセットして、新たに領域選択をしてデータ調整を行う。
【００６０】
図９は、本発明の実施形態に係る原稿読取装置における制御部の処理内容を示すフローチャートである。
【００６１】
図９は、全体データサイズが基準データサイズよりも大きい場合に自動調整（Ｓ１００）が選択されたときのフローチャートである。
【００６２】
自動調整が選択されると、表示部１４０は、領域分離部１５０において領域分離された原稿データの領域間の境界を示す境界画像を原稿データに重ね合わせて表示する（Ｓ３１０）。このとき、この境界画像は、Ｓ１０で設定された色調で示される。そして、表示部１４０は、領域分離部１５０において領域分離された原稿データの領域ごとに特性（文字または画像の種類）およびサイズ等のプロパティを表示する（Ｓ３２０）。
【００６３】
その後、ユーザは、データ保護をする領域を選択する（Ｓ３３０）。ここでは、複数の領域を選択することが可能である。データ保護をする領域の選択が終了してＯＫキーが押されると（Ｓ３４０）、選択された領域が確認できるように表示部１４０に表示される（Ｓ３５０）。この確認画面でＯＫキーが押されると（Ｓ３６０）、調整部１８０が自動でデータ調整をし（Ｓ３７０）、データ調整後の原稿データが表示部１４０に表示される（Ｓ３７５）。
【００６４】
データ調整後の全体データサイズが基準データサイズ以下であれば、表示部１４０にＯＫキーとキャンセルキーが表示される（Ｓ３８０）。ここで、ＯＫキーが押されると（Ｓ３９０）、通信部１９０は、データ調整した原稿データを外部機器３００へ送信する（Ｓ４００）。また同時に、記憶部１３０は、データ調整した原稿データを記憶する。
【００６５】
Ｓ３６０でＯＫキーが押されずにキャンセルキーが押されると（Ｓ４１０）、データ調整した調整内容がリセットされてＳ３３０の領域選択に戻る。また、Ｓ３９０でＯＫキーが押されずにキャンセルキーが押されると（Ｓ４２０）、データ調整した調整内容がリセットされてＳ３３０の領域選択に戻る。
【００６６】
図１０は、本発明の実施形態に係る原稿読取装置の表示部においての表示内容を示す図である。
【００６７】
図１０は、Ｓ３３０において領域選択をするときに表示部１４０において表示される内容を示す。各種タブ、境界画像およびプロパティの表示は、図６と同様である。Ｓ３３０では、Ｓ１３０とは違って一度に複数の領域を選択することが可能であるので、領域の選択が終了したときに表示部１４０に表示されるＯＫキーを押すこととしている。本実施形態では、１回目のタッチで領域を選択でき、選択した領域をもう１回タッチすると領域の選択を解除できる。
【００６８】
図１１は、本発明の実施形態に係る原稿読取装置の表示部においての表示内容を示す図である。
【００６９】
図１１は、Ｓ３４０でＯＫキーが押されてＳ３５０に遷移したときの表示部１４０の表示内容を示す図である。ここでは、選択された領域がプレビュー表示されるとともに保護された領域に関するプロパティが表示される。内容を確認して、データ調整をしていい場合はＯＫキーを押し、領域の選択をやり直すときはキャンセルキーを押す。
【００７０】
なお、本実施形態では単数ページの処理について説明をしているが、これに限るものではない。複数ページを処理する場合には、そのページごとに本実施形態と同様の処理が行われるものとする。
【００７１】
また、本実施形態の図４のＳ７０、図５のＳ１７０および図９のＳ３８０において「＞」が用いられているが、かわりに「≧」が用いられても本発明は成り立つ。すなわち、実施形態において「＞」が用いられる場合は請求項における基準データと実施形態における基準データとは同一の値であり、実施形態において「≧」が用いられる場合は請求項における基準データは実施形態における基準データよりも小さい値である。
【００７２】
また、請求項における基準データと実施形態における基準データとは、必ずしも同一の値ではない。
【００７３】
最後に、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【図面の簡単な説明】
【００７４】
【図１】本発明の実施形態に係る原稿読取装置の構成を示す図である。
【図２】本発明の実施形態に係る原稿読取装置の開蓋状態を示す図である。
【図３】本発明の実施形態に係る原稿読取装置の主要な構成を示すブロック図である。
【図４】本発明の実施形態に係る原稿読取装置における制御部の処理内容を示すフローチャートである。
【図５】本発明の実施形態に係る原稿読取装置における制御部の処理内容を示すフローチャートである。
【図６】本発明の実施形態に係る原稿読取装置の表示部においての表示内容を示す図である。
【図７】本発明の実施形態に係る原稿読取装置の表示部においての表示内容を示す図である。
【図８】本発明の実施形態に係る原稿読取装置の表示部においての表示内容を示す図である。
【図９】本発明の実施形態に係る原稿読取装置における制御部の処理内容を示すフローチャートである。
【図１０】本発明の実施形態に係る原稿読取装置の表示部においての表示内容を示す図である。
【図１１】本発明の実施形態に係る原稿読取装置の表示部においての表示内容を示す図である。
【符号の説明】
【００７５】
１−原稿読取装置
１２−第１原稿載置台
１６−第２原稿載置台
１１０−原稿読取部
１２０−設定部
１３０−記憶部
１４０−表示部
１５０−領域分離部
１５５−選択部
１６０−計算部
１７０−比較部
１８０−調整部
１９０−通信部
３００−外部機器
【図１】
2010114704.tif 000003
【図２】
2010114704.tif 000004
【図３】
2010114704.tif 000005
【図４】
2010114704.tif 000006
【図５】
2010114704.tif 000007
【図６】
2010114704.tif 000008
【図７】
2010114704.tif 000009
【図８】
2010114704.tif 000010
【図９】
2010114704.tif 000011
【図１０】
2010114704.tif 000012
【図１１】
2010114704.tif 000013